(57)【要約】【課題】書類の効率的な編集作業を支援する。【解決手段】コンピュータと接続される撮像装置１００であって、撮像部１により取得された撮像画像データに係る撮像画像と、ＵＳＢ端子６を介して取得されたコンピュータに記録された外部画像データに係る書類画像を表示する表示部３と、撮像画像及び書類画像が表示されている状態で、撮像画像の編集を指示する操作入力部４と、編集指示に応じて表示部に表示される撮像画像の表示状態を変更するＣＰＵ７１と、表示状態が変更された撮像画像に関連する編集画像関連データをコンピュータに送信するＵＳＢ端子６とを備えている。【選択図】図８
2008288864.tif 000002
【特許請求の範囲】
【請求項１】
外部機器に記録された文書データを画像に変換して得られた外部画像情報を取得する取得手段と、
被写体を撮像して撮像画像情報を取得する撮像手段と、
前記撮像手段により取得された前記撮像画像情報に係る撮像画像と、前記取得手段により取得された前記外部画像情報に係る外部画像を表示する表示手段と、
前記表示手段に前記撮像画像及び前記外部画像が表示されている状態で、前記撮像画像の編集を指示する編集指示手段と、
前記編集指示手段による編集指示に応じて前記表示手段に表示される前記撮像画像の表示状態を変更する表示状態変更手段と、
前記表示状態変更手段により表示状態が変更された前記撮像画像に関連する編集画像関連情報を出力する外部出力手段と、
を備えることを特徴とする撮像装置。
【請求項２】
前記表示手段は、前記外部画像内の指定された位置とサイズで前記撮像画像を合成して表示し、
前記編集指示手段は、前記外部画像内に前記撮像画像が合成表示される位置またはサイズの変更を指示し、
前記表示状態変更手段は、前記編集指示手段による編集指示に応じて前記表示手段によって前記外部画像内に合成表示される前記撮像画像の位置またはサイズを変更し、
前記外部出力手段は、前記表示状態変更手段により変更された前記外部画像内に前記撮像画像が合成表示される位置またはサイズに関する情報を含む前記編集画像関連情報を出力することを特徴とする請求項１に記載の撮像装置。
【請求項３】
前記編集指示手段は、前記撮像画像に係る前記撮像画像情報の変更を指示し、
前記表示状態変更手段は、前記編集指示手段による編集指示に応じて前記表示手段に表示される前記撮像画像を前記撮像手段により新たに取得される撮影画像情報に係る撮像画像に変更し、
前記外部出力手段は、前記表示状態変更手段により変更された新たな撮像画像に係る撮影画像情報を含む前記編集画像関連情報を出力することを特徴とする請求項１又は２に記載の撮像装置。
【請求項４】
前記取得手段は、前記外部機器に記録された文書データを画像に変換して得られた外部画像情報を該外部機器より受信し、
前記外部出力手段は、前記編集画像関連情報を前記文書データが記憶されている前記外部機器に送信することを特徴とする請求項１〜３の何れか一項に記載の撮像装置。
【請求項５】
前記外部出力手段により前記編集画像関連情報を前記外部機器に送信する際に、当該編集画像関連情報に係る画像の解像度を前記取得手段により取得された前記外部画像情報に係る外部画像の解像度に基づいて調整する送信解像度調整手段を備えることを特徴とする請求項４に記載の撮像装置。
【請求項６】
前記取得手段により取得した前記外部画像情報が文書編集の対象であるか否かを判別する判別手段と、
前記判別手段により前記外部画像情報が文書編集の対象でないと判別された場合は、前記外部画像情報を通常の撮影画像と同じ扱いで処理し、前記判別手段により前記外部画像情報が文書編集の対象であると判別された場合は、前記表示手段、前記編集指示手段、前記表示状態変更手段、および前記外部出力手段による編集処理を実行させる制御手段と、を更に備えることを特徴とする請求項１〜５の何れか一項に記載の撮像装置。
【請求項７】
前記取得手段は、前記外部機器に記録された文書データを画像に変換して得られた前記外部画像情報とともに当該文書データの印刷サイズに係る寸法情報を取得し、
前記取得手段により取得された前記寸法情報に基づいて、前記表示手段に表示される前記撮像画像の解像度を決定する解像度決定手段を備えることを特徴とする請求項１〜６の何れか一項に記載の撮像装置。
【請求項８】
前記取得手段により取得された前記外部画像情報に係る外部画像の解像度に基づいて、前記撮像画像の解像度を決定する解像度決定手段を備えることを特徴とする請求項１〜６の何れか一項に記載の撮像装置。
【請求項９】
前記解像度決定手段は、前記撮像手段による前記被写体の撮像の際の解像度を決定することを特徴とする請求項７または８に記載の撮像装置。
【請求項１０】
前記解像度決定手段は、前記表示手段に表示される前記撮像画像の解像度または前記撮像画像の表示領域のサイズを決定することを特徴とする請求項７または８に記載の撮像装置。
【請求項１１】
外部機器に着脱自在に設けられた記録媒体に記録された文書データを画像に変換して得られた外部画像情報を取得する取得手段と、
被写体を撮像して撮像画像情報を取得する撮像手段と、
前記撮像手段により取得された前記撮像画像情報に係る撮像画像と、前記取得手段により取得された前記外部画像情報に係る外部画像を表示する表示手段と、
前記表示手段に前記撮像画像及び前記外部画像が表示されている状態で、前記撮像画像の編集を指示する編集指示手段と、
前記編集指示手段による編集指示に応じて前記表示手段に表示される前記撮像画像の表示状態を変更する表示状態変更手段と、
前記表示状態変更手段により表示状態が変更された前記撮像画像に関連する編集画像関連情報を前記記録媒体に記録させる記録媒体記録制御手段と、
を備えることを特徴とする撮像装置。
【請求項１２】
外部機器に記録された文書データを画像に変換して得られた外部画像情報を取得する取得手段と、被写体を撮像して撮像画像情報を取得する撮像手段と、前記撮像手段により取得された前記撮像画像情報に係る撮像画像と前記取得手段により取得された前記外部画像情報に係る外部画像を表示する表示手段と、前記表示手段に前記撮像画像及び前記外部画像が表示されている状態で、前記撮像画像の編集を指示する編集指示手段と、を備える撮像装置に、
前記編集指示手段による編集指示に応じて前記表示手段に表示される前記撮像画像の表示状態を変更する機能と、
表示状態が変更された前記撮像画像に関連する編集画像関連情報を出力させる機能と、
を実現させることを特徴とするプログラム。
【請求項１３】
外部機器と、撮像装置とを備える編集システムであって、
前記外部機器は、
当該外部機器に記録された文字情報を含む文書データを画像に変換し、この変換された画像を外部画像情報として外部に出力する外部機器側出力手段を備え、
前記撮像装置は、
前記外部機器が出力した前記外部画像情報を取得する撮像装置側取得手段と、
被写体を撮像して撮像画像情報を取得する撮像手段と、
前記撮像手段により取得された前記撮像画像情報に係る撮像画像と、前記撮像装置側取得手段により取得された前記外部画像情報に係る外部画像を表示する表示手段と、
前記表示手段に前記撮像画像及び前記外部画像が表示されている状態で、前記撮像画像の編集を指示する編集指示手段と、
前記編集指示手段による編集指示に応じて前記表示手段に表示される前記撮像画像の表示状態を変更する表示状態変更手段と、
前記表示状態変更手段により表示状態が変更された前記撮像画像に関連する編集画像関連情報を外部に出力する撮像装置側出力手段とを備え、
前記外部機器は、さらに、
前記撮像装置側出力手段から出力された前記編集画像関連情報を取得する外部機器側取得手段と、
前記外部機器側取得手段により取得された前記編集画像関連情報に基づいて前記文字情報を含む文書データを自動的に編集する自動編集手段と、を備えることを特徴とする編集システム。
【請求項１４】
外部機器と、撮像装置とを用いた編集方法であって、
前記外部機器は、
当該外部機器に記録された文字情報を含む文書データを画像に変換し、この変換された画像を外部画像情報として外部に出力する処理を行い、
前記撮像装置は、
被写体を撮像して撮像画像情報を取得する撮像手段を備え、
前記外部機器が出力した前記外部画像情報を取得する処理と、
前記撮像手段により取得された前記撮像画像情報に係る撮像画像と取得された前記外部画像情報に係る外部画像を表示する処理と、
前記撮像画像及び前記外部画像が表示されている状態で、前記撮像画像の編集を指示する処理と、
編集指示に応じて前記撮像画像の表示状態を変更する処理と、
表示状態が変更された前記撮像画像に関連する編集画像関連情報を外部に出力する処理とを行い、
前記外部機器は、さらに、
前記撮像装置から出力された前記編集画像関連情報を取得する処理と、
取得された前記編集画像関連情報に基づいて前記文字情報を含む文書データを自動的に編集する処理とを行うことを特徴とする編集方法。
【発明の詳細な説明】
【技術分野】
【０００１】
本発明は、画像が挿入される文書データの編集作業を支援する撮像装置、プログラム、編集システム及び編集方法に関する。
【背景技術】
【０００２】
従来、屋内に設置されているパーソナルコンピュータ（ＰＣ）等の外部機器で作成された文書データを、ＰＤＡやデジタルカメラ等の携帯機器を用いて外出先（モバイル環境）で閲覧できるようにする技術が知られている（例えば、特許文献１参照）。
具体的には、ＰＣ側で特殊なアプリケーションソフトで作成された特殊形式の文書データを、一般的なアプリケーションソフトで閲覧可能なＰＤＦやＪＰＥＧ等のデータに変換してから携帯機器に転送するようになっている。
【特許文献１】特開２０００−３５０１５１号公報
【発明の開示】
【発明が解決しようとする課題】
【０００３】
しかしながら、従来の技術では、外出先で携帯機器を用いて文書データの閲覧をすることはできても、文書データの編集をすることはできなかった。
また、外出先で撮影した画像を文書データ中に挿入するような編集作業をその場で行うことはできないため、外出先で撮影した画像を自宅に持ち帰った後、当該撮影画像を文書データに挿入する編集作業を自宅のＰＣで行うようになっている。この場合、撮影画像が文書データ中への挿入に適した画像であるかどうかは、実際に文書データ中に画像を挿入して確認してみなければわからないことが多いため、撮影画像が気に入らなくてもそれで妥協するか、再度最適な画像の撮り直しに出かけなければならなかった。
なお、撮り直しを防ぐためには、外出先においてなるべく多くの画像を撮り貯めて自宅に持ち帰れば良いが、余分な撮影の手間がかかったり、大容量のメモリが必要であるなどの問題も生じてしまう。
【０００４】
そこで、本発明の課題は、文書データの効率的な編集作業を支援することができる撮像装置、プログラム、編集システム及び編集方法を提供することである。
【課題を解決するための手段】
【０００５】
請求項１に記載の発明の撮像装置は、
外部機器に記録された文書データを画像に変換して得られた外部画像情報を取得する取得手段と、
被写体を撮像して撮像画像情報を取得する撮像手段と、
前記撮像手段により取得された前記撮像画像情報に係る撮像画像と、前記取得手段により取得された前記外部画像情報に係る外部画像を表示する表示手段と、
前記表示手段に前記撮像画像及び前記外部画像が表示されている状態で、前記撮像画像の編集を指示する編集指示手段と、
前記編集指示手段による編集指示に応じて前記表示手段に表示される前記撮像画像の表示状態を変更する表示状態変更手段と、
前記表示状態変更手段により表示状態が変更された前記撮像画像に関連する編集画像関連情報を出力する外部出力手段と、
を備えることを特徴としている。
【０００６】
請求項２に記載の発明は、請求項１に記載の撮像装置において、
前記表示手段は、前記外部画像内の指定された位置とサイズで前記撮像画像を合成して表示し、
前記編集指示手段は、前記外部画像内に前記撮像画像が合成表示される位置またはサイズの変更を指示し、
前記表示状態変更手段は、前記編集指示手段による編集指示に応じて前記表示手段によって前記外部画像内に合成表示される前記撮像画像の位置またはサイズを変更し、
前記外部出力手段は、前記表示状態変更手段により変更された前記外部画像内に前記撮像画像が合成表示される位置またはサイズに関する情報を含む前記編集画像関連情報を出力することを特徴としている。
【０００７】
請求項３に記載の発明は、請求項１又は２に記載の撮像装置において、
前記編集指示手段は、前記撮像画像に係る前記撮像画像情報の変更を指示し、
前記表示状態変更手段は、前記編集指示手段による編集指示に応じて前記表示手段に表示される前記撮像画像を前記撮像手段により新たに取得される撮影画像情報に係る撮像画像に変更し、
前記外部出力手段は、前記表示状態変更手段により変更された新たな撮像画像に係る撮影画像情報を含む前記編集画像関連情報を出力することを特徴としている。
【０００８】
請求項４に記載の発明は、請求項１〜３の何れか一項に記載の撮像装置において、
前記取得手段は、前記外部機器に記録された文書データを画像に変換して得られた外部画像情報を該外部機器より受信し、
前記外部出力手段は、前記編集画像関連情報を前記文書データが記憶されている前記外部機器に送信することを特徴としている。
【０００９】
請求項５に記載の発明は、請求項４に記載の撮像装置において、
前記外部出力手段により前記編集画像関連情報を前記外部機器に送信する際に、当該編集画像関連情報に係る画像の解像度を前記取得手段により取得された前記外部画像情報に係る外部画像の解像度に基づいて調整する送信解像度調整手段を備えることを特徴としている。
【００１０】
請求項６に記載の発明は、請求項１〜５の何れか一項に記載の撮像装置において、
前記取得手段により取得した前記外部画像情報が文書編集の対象であるか否かを判別する判別手段と、
前記判別手段により前記外部画像情報が文書編集の対象でないと判別された場合は、前記外部画像情報を通常の撮影画像と同じ扱いで処理し、前記判別手段により前記外部画像情報が文書編集の対象であると判別された場合は、前記表示手段、前記編集指示手段、前記表示状態変更手段、および前記外部出力手段による編集処理を実行させる制御手段と、を更に備えることを特徴としている。
【００１１】
請求項７に記載の発明は、請求項１〜６の何れか一項に記載の撮像装置において、
前記取得手段は、前記外部機器に記録された文書データを画像に変換して得られた前記外部画像情報とともに当該文書データの印刷サイズに係る寸法情報を取得し、
前記取得手段により取得された前記寸法情報に基づいて、前記表示手段に表示される前記撮像画像の解像度を決定する解像度決定手段を備えることを特徴としている。
【００１２】
請求項８に記載の発明は、請求項１〜６の何れか一項に記載の撮像装置において、
前記取得手段により取得された前記外部画像情報に係る外部画像の解像度に基づいて、前記撮像画像の解像度を決定する解像度決定手段を備えることを特徴としている。
【００１３】
請求項９に記載の発明は、請求項７または８に記載の撮像装置において、
前記解像度決定手段は、前記撮像手段による前記被写体の撮像の際の解像度を決定することを特徴としている。
【００１４】
請求項１０に記載の発明は、請求項７または８に記載の撮像装置において、
前記解像度決定手段は、前記表示手段に表示される前記撮像画像の解像度または前記撮像画像の表示領域のサイズを決定することを特徴としている。
【００１５】
請求項１１に記載の発明の撮像装置は、
外部機器に着脱自在に設けられた記録媒体に記録された文書データを画像に変換して得られた外部画像情報を取得する取得手段と、
被写体を撮像して撮像画像情報を取得する撮像手段と、
前記撮像手段により取得された前記撮像画像情報に係る撮像画像と、前記取得手段により取得された前記外部画像情報に係る外部画像を表示する表示手段と、
前記表示手段に前記撮像画像及び前記外部画像が表示されている状態で、前記撮像画像の編集を指示する編集指示手段と、
前記編集指示手段による編集指示に応じて前記表示手段に表示される前記撮像画像の表示状態を変更する表示状態変更手段と、
前記表示状態変更手段により表示状態が変更された前記撮像画像に関連する編集画像関連情報を前記記録媒体に記録させる記録媒体記録制御手段と、
を備えることを特徴としている。
【００１６】
請求項１２に記載の発明のプログラムは、
外部機器に記録された文書データを画像に変換して得られた外部画像情報を取得する取得手段と、被写体を撮像して撮像画像情報を取得する撮像手段と、前記撮像手段により取得された前記撮像画像情報に係る撮像画像と前記取得手段により取得された前記外部画像情報に係る外部画像を表示する表示手段と、前記表示手段に前記撮像画像及び前記外部画像が表示されている状態で、前記撮像画像の編集を指示する編集指示手段と、を備える撮像装置に、
前記編集指示手段による編集指示に応じて前記表示手段に表示される前記撮像画像の表示状態を変更する機能と、
表示状態が変更された前記撮像画像に関連する編集画像関連情報を出力させる機能と、
を実現させることを特徴としている。
【００１７】
請求項１３に記載の発明は、
外部機器と、撮像装置とを備える編集システムであって、
前記外部機器は、
当該外部機器に記録された文字情報を含む文書データを画像に変換し、この変換された画像を外部画像情報として外部に出力する外部機器側出力手段を備え、
前記撮像装置は、
前記外部機器が出力した前記外部画像情報を取得する撮像装置側取得手段と、
被写体を撮像して撮像画像情報を取得する撮像手段と、
前記撮像手段により取得された前記撮像画像情報に係る撮像画像と、前記撮像装置側取得手段により取得された前記外部画像情報に係る外部画像を表示する表示手段と、
前記表示手段に前記撮像画像及び前記外部画像が表示されている状態で、前記撮像画像の編集を指示する編集指示手段と、
前記編集指示手段による編集指示に応じて前記表示手段に表示される前記撮像画像の表示状態を変更する表示状態変更手段と、
前記表示状態変更手段により表示状態が変更された前記撮像画像に関連する編集画像関連情報を外部に出力する撮像装置側出力手段とを備え、
前記外部機器は、さらに、
前記撮像装置側出力手段から出力された前記編集画像関連情報を取得する外部機器側取得手段と、
前記外部機器側取得手段により取得された前記編集画像関連情報に基づいて前記文字情報を含む文書データを自動的に編集する自動編集手段と、を備えることを特徴としている。
【００１８】
請求項１４に記載の発明は、
外部機器と、撮像装置とを用いた編集方法であって、
前記外部機器は、
当該外部機器に記録された文字情報を含む文書データを画像に変換し、この変換された画像を外部画像情報として外部に出力する処理を行い、
前記撮像装置は、
被写体を撮像して撮像画像情報を取得する撮像手段を備え、
前記外部機器が出力した前記外部画像情報を取得する処理と、
前記撮像手段により取得された前記撮像画像情報に係る撮像画像と取得された前記外部画像情報に係る外部画像を表示する処理と、
前記撮像画像及び前記外部画像が表示されている状態で、前記撮像画像の編集を指示する処理と、
編集指示に応じて前記撮像画像の表示状態を変更する処理と、
表示状態が変更された前記撮像画像に関連する編集画像関連情報を外部に出力する処理とを行い、
前記外部機器は、さらに、
前記撮像装置から出力された前記編集画像関連情報を取得する処理と、
取得された前記編集画像関連情報に基づいて前記文字情報を含む文書データを自動的に編集する処理とを行うことを特徴としている。
【発明の効果】
【００１９】
本発明によれば、外部機器で作成された文書データと関連付けられた外部画像情報を撮像装置に転送して、この転送された外部画像情報と撮像装置側で撮影して得られる撮影画像情報とを、撮像装置側で表示しながら編集し、その編集結果である編集画像関連情報を出力するようにしたので、外出先や移動中でも編集作業を継続することができ、編集後の編集画像関連情報を外部機器に戻すことにより、書類の効率的な編集作業を支援することができる。
【発明を実施するための最良の形態】
【００２０】
以下に、本発明について、図面を用いて具体的な態様を説明する。ただし、発明の範囲は、図示例に限定されない。
図１は、本発明を適用した一実施形態の編集システムの概略構成を示すブロック図である。
【００２１】
本実施形態の編集システム３００は、コンピュータ（外部機器）２００から送信され撮像装置１００にて受信された文書イメージに撮像画像データを合成する編集作業を外出先で行い、当該編集に係る編集データ及び撮像画像データをコンピュータ２００に送信する処理を行うものである。
具体的には、図１に示すように、編集システム３００は、撮像装置１００と、この撮像装置１００とＵＳＢケーブル（図示略）等を介して接続されるコンピュータ２００とを備えている。
【００２２】
先ず、コンピュータ２００について図２を参照して詳細に説明する。
図２は、コンピュータ２００の概略構成を示すブロック図である。
コンピュータ２００は、例えば、ユーザの自宅等の所定位置に設置されるパーソナルコンピュータ（ＰＣ）等の電子演算処理装置から構成されている。具体的には、図２に示すように、コンピュータ２００は、ＣＰＵ２０１と、ＲＡＭ２０２と、ＲＯＭ２０３と、データ記憶部２０７と、操作部２０４と、表示部２０５と、通信制御部２０６等を備えている。
【００２３】
操作部２０４は、例えば、数値、文字等を入力するためのデータ入力キーや、データの選択、送り操作等を行うための上下左右移動キーや各種機能キー等によって構成されるキーボードを備えている。そして、操作部２０４は、ユーザにより押下されたキーの押下信号をＣＰＵ２０１に出力する。
また、操作部２０４は、ユーザによる所定操作に基づいて書類（例えば、「宇和島城」に係る書類Ｇ１（図３参照））等の作成を指示する。
ここで、「宇和島城」に係る書類Ｇ１は、例えば、図３に示すように、見出しの文字列として上端部に「宇和島城」が記載され、その下側に本文の文字列として、「通称：鶴島城、丸串城」、「城郭構造：梯郭式平山城」、「天守構造：単立式層塔型」、「築城主：橘遠保」、「築城年：９４１年」、「主な改修者：藤堂高虎、伊達宗利」、「主な城主：藤堂氏、伊達氏」、「廃城年：１８７１年」、「遺構：現存天守・門、石垣」等が上から順に並んで記載されたものである。
【００２４】
データ記憶部２０７は、例えば、ハードディスク装置等から構成されている。また、データ記憶部２０７は、編集前の「宇和島城」に係る書類Ｇ１の文書データｄ１（図４参照）や、当該編集システム３００による編集処理後に、編集済みの「宇和島城」に係る書類Ｇ１の編集済文書データｄ２（図５参照）等を記憶する。
即ち、データ記憶部２０７は、情報記録手段として、通信制御部２０６により受信された編集データ及び外部画像データｄ３からなる編集済文書データｄ２を記録する。
【００２５】
ここで、編集前の「宇和島城」に係る書類Ｇ１の文書データｄ１は、例えば、図４に示すように、見出しの文字列「宇和島城」（オブジェクト１）及び本文の文字列「通称：鶴島城、丸串城」等（オブジェクト２）のレイアウト情報や実データ情報等から構成されている。
具体的には、レイアウト情報は、例えば、オブジェクト１の元データ＝見出しの文字列１、オブジェクト１の位置＝左上、オブジェクト１のフォント＝ゴシック体、２０ポイント、オブジェクト２の元データ＝本文の文字列２、オブジェクト２の位置＝左で、見出しの下、オブジェクト２のフォント＝明朝体、１２ポイント等を含んで構成されている。
また、実データ情報は、見出しの文字列１＝“宇和島城”、本文の文字列“通称：鶴島城…”等を含んで構成されている。
【００２６】
また、「宇和島城」に係る編集済文書データｄ２は、例えば、図５に示すように、見出しの文字列「宇和島城」（オブジェクト１）、本文の文字列「通称：鶴島城、丸串城」等（オブジェクト２）及び挿入画像１（オブジェクト４）のレイアウト情報や実データ情報等から構成されている。
具体的には、レイアウト情報は、例えば、オブジェクト１の元データ＝見出しの文字列１、オブジェクト１の位置＝左上、オブジェクト１のサイズ＝全体の１０％（面積比）、オブジェクト２の元データ＝本文の文字列２、オブジェクト２の位置＝左で、見出しの下、オブジェクト２のサイズ＝全体の６０％（面積比）、オブジェクト４の元データ＝挿入画像１、オブジェクト４の位置＝左から７５％、上から３０％、オブジェクト４のサイズ＝全体の２０％（面積比）、オブジェクト４の表示優先順位＝最も上等を含んで構成されている。
また、実データ情報は、見出しの文字列１＝“宇和島城”、本文の文字列“通称：鶴島城…”、挿入画像１＝（実際のイメージデータ）等を含んで構成されている。
ここで“（実際のイメージデータ）”とした部分は、実際のイメージデータそのものを含んでもよいし、実際のイメージデータは別ファイルに格納し、そのファイル名を指定する情報だけを含むようにしてもよい。
【００２７】
表示部２０５は、例えば、ＬＣＤやＣＲＴ等により構成された表示画面を備えている。そして、表示部２０５は、操作部２０４の所定操作に基づいて作成された書類Ｇ１（図３参照）や、撮像装置１００にて編集された編集後の書類等を表示する。
ここで、編集後の書類として、例えば、編集済みの「宇和島城」に係る書類Ｇ２があげられ、例えば、図６に示すように、右側上寄りの位置に撮像装置１００にて撮像された宇和島城の画像が挿入されたものである。
【００２８】
通信制御部２０６は、撮像装置１００との接続用のＵＳＢ端子（図示略）等を備えている。そして、通信制御部２０６は、ＵＳＢ端子に装着されたＵＳＢケーブル（図示略）を介して撮像装置１００との間にて情報通信を行うための制御を行う。
また、通信制御部２０６は、当該コンピュータ２００のデータ記憶部２０７に記録された文書データｄ１からレンダリングされた文書イメージに係る外部画像データｄ３（図７参照）を送信する。即ち、通信制御部２０６は、コンピュータ２００に保存された外部画像データｄ３を送信する外部機器側送信手段を構成している。
また、通信制御部２０６は、外部画像、例えば、「宇和島城」に係る書類Ｇ１の印刷サイズに係る寸法情報を送信する。
【００２９】
ここで、レンダリングは、ＣＰＵ２０１による所定のプログラムの実行に基づいて行われ、数値データとして与えられた各オブジェクトに関する情報を計算によって画像化することである。
即ち、外部画像データｄ３は、例えば、図７に示すように、編集前の「宇和島城」に係る書類Ｇ１の文書データｄ１（図３参照）がレンダリングによって実データ情報として文書イメージ１＝（実際のイメージデータ）を含んで構成される文書イメージに変換されたものである。
【００３０】
また、通信制御部２０６は、撮像装置１００のＵＳＢ端子６に装着されたＵＳＢケーブル（図示略）を介して送信された「宇和島城」に係る編集データ（挿入画像のレイアウト情報と実データ情報の両方または一方の情報を含む編集画像関連情報）を受信する。即ち、通信制御部２０６は、撮像装置１００から送信された編集データを受信する外部機器側受信手段を構成している。
【００３１】
ＣＰＵ２０１は、例えば、ＲＯＭ２０３に記憶されているコンピュータ２００としての機能に関る各種プログラムを読み出してＲＡＭ２０２の作業領域に展開し、当該プログラムに従って各種処理を実行するものである。
【００３２】
ＲＡＭ２０２は、例えば、書き換え可能なメモリであり、ＲＯＭ２０３から読み出されたプログラムや入力データ、受信データ等の格納領域や作業領域等を構成している。
【００３３】
ＲＯＭ２０３は、例えば、読み出し専用のメモリであり、ＣＰＵ２０１の制御下にて実行される各種のプログラム並びに各プログラムの処理に係るデータ及びテーブル等を記憶している。
【００３４】
次に、撮像装置１００について図８〜図１０を参照して詳細に説明する。
図８は、撮像装置１００の概略構成を示すブロック図であり、図９は、撮像装置１００の表示画面に編集前の「宇和島城」に係る書類のレイアウト画像Ｇ３が表示された状態を表す背面図であり、図１０は、撮像装置１００の表示画面に編集後の「宇和島城」に係る合成書類Ｇ４が表示された状態を表す背面図である。
【００３５】
撮像装置１００は、例えば、図８〜図１０に示すように、撮像部１と、撮像補助部２と、表示部３、操作部４と、記録媒体５と、ＵＳＢ端子６と、制御部７等を備えて構成されている。
【００３６】
撮像部１は、被写体を撮像するものである。具体的には、撮像部１は、例えば、撮像レンズ群１１と、電子撮像部１２と、映像信号処理部１３と、画像メモリ１４と、撮影制御部１５等を備えている。
【００３７】
撮像レンズ群１１は、例えば、フォーカス機能及びズーム機能を有し、複数の撮像レンズから構成されている。
電子撮像部１２は、撮像レンズ群１１を通過した被写体像を二次元の画像信号に変換するＣＣＤ（Charge Coupled Device）やＣＭＯＳ（Complementary Metal-oxide Semiconductor）等から構成されている。
映像信号処理部１３は、電子撮像部１２から出力される画像信号に対して所定の画像処理を施すものである。
画像メモリ１４は、画像処理後の画像信号を一時的に記憶する。
撮影制御部１５は、ＣＰＵ７１の制御下にて、電子撮像部１２及び映像信号処理部１３を制御する。
【００３８】
上記構成の撮像部１は、被写体を撮像して撮像画像データ（画像信号）を取得する撮像手段を構成している。
【００３９】
撮像補助部２は、撮像部１による被写体の撮像の際に駆動するものであり、例えば、フォーカス駆動部２１と、ズーム駆動部２２等を備えている。
【００４０】
フォーカス駆動部２１は、撮像レンズ群１１に接続されたフォーカス機構部（図示略）を駆動させる。
ズーム駆動部２２は、撮像レンズ群１１に接続されたズーム機構部（図示略）を駆動させる。
なお、フォーカス駆動部２１及びズーム駆動部２２は、撮影制御部１５に接続され、撮影制御部１５の制御下にて駆動する。
【００４１】
ＵＳＢ端子６は、コンピュータ２００との接続用の端子であり、ＵＳＢケーブル（図示略）等を介してデータの送受信を行う。
即ち、ＵＳＢ端子６は、撮像装置側受信手段として、ＵＳＢケーブルを介してコンピュータ（外部機器）２００と接続され、通信制御部２０６から送信された外部画像データｄ３を受信する。ここで、ＵＳＢ端子６は、コンピュータ２００に記録された外部画像データｄ３を取得する取得手段を構成している。
また、ＵＳＢ端子６は、通信制御部２０６から送信された書類の印刷サイズに係る寸法情報を受信（取得）する。
【００４２】
また、ＵＳＢ端子６は、撮像装置側送信手段（送信手段）として、ＣＰＵ７１の制御下にて、表示状態変更処理にて表示部３における表示状態が変更された撮像画像に関連する編集画像関連データｄ４（図１１参照）をコンピュータ２００に送信する。
【００４３】
ここで、「宇和島城」に係る編集画像関連データｄ４は、例えば、図１１に示すように、オブジェクト１及びオブジェクト２からなる文書イメージ（オブジェクト３）及び挿入画像１（オブジェクト４）のレイアウト情報や実データ情報等から構成されている。
具体的には、レイアウト情報は、例えば、オブジェクト３の元データ＝文書イメージ１、オブジェクト３の位置＝中央、オブジェクト３のサイズ＝表示画面全体、オブジェクト３の表示優先順位＝上から２番目、オブジェクト４の元データ＝挿入画像１、オブジェクト４の位置＝左から７５％、上から３０％、オブジェクト４のサイズ＝全体の２０％（面積比）、オブジェクト４の表示優先順位＝最も上等を含んで構成されている。
また、実データ情報は、挿入画像１＝（実際のイメージデータ）等を含んで構成されている。
【００４４】
表示部３は、撮像部１により撮像された画像を表示するものであり、表示画面を撮像装置１００の背面側から露出させるように配設されている。また、表示部３は、例えば、表示制御部３１と、画像表示部３２等を備えている。
【００４５】
表示制御部３１は、ＣＰＵ７１から適宜出力される表示データを一時的に保存するビデオメモリ（ＶＲＡＭ；図示略）を備えている。
【００４６】
画像表示部３２は、表示制御部３１からの出力信号に基づいて所定の画像や情報を表示する。
即ち、画像表示部３２は、撮像部１により撮像されるプレビュー画像や記録媒体５に記録される本画像等を表示画面に表示する。
【００４７】
また、表示部３は、表示制御部３１の制御下にて、ＵＳＢ端子６を介して取得した外部画像データｄ３に基づいて編集前の書類（例えば、「宇和島城」に係る書類Ｇ１；図９参照）を画像表示部３に表示する。具体的には、表示部３は、図９に示すように、編集前の「宇和島城」に係る書類Ｇ１の所定位置（例えば、右側上寄りの位置）に略矩形状の挿入画像（撮像画像）Ｇ５の画像挿入スペースＳが設定されたレイアウト画像Ｇ３を表示する。
【００４８】
さらに、表示部３は、表示手段として、表示制御部３１の制御下にて、撮像部１により取得された撮像画像データ及びＵＳＢ端子６を介して取得した外部画像データｄ３に基づいて、撮像画像及び書類が合成された編集後の合成書類（例えば、「宇和島城」に係る書類Ｇ１；図１０参照）を画像表示部３に表示する。具体的には、表示部３は、図１０に示すように、「宇和島城」に係る書類（外部画像）Ｇ１の所定位置（例えば、右側上寄りの位置）の画像挿入スペースＳに挿入画像（撮像画像）Ｇ５が挿入された編集後の合成画像Ｇ４を表示する。
【００４９】
操作部４は、当該撮像装置１００の所定操作を行うためのものであり、例えば、図２に示すように、シャッターボタン４１ａ、ズームボタン４１ｂ、カーソルボタン４１ｃ等の各種操作ボタンを具備する操作入力部４１と、入力回路４２等を備えている。
【００５０】
シャッターボタン４１ａは、例えば、撮像装置１００の上面側に設けられ、撮像部１による被写体の撮像を指示する。また、シャッターボタン４１ａは、例えば、半押し操作及び全押し操作の２段階の押圧操作が可能に構成され、各操作段階に応じた所定の操作信号を出力する。
ズームボタン４１ｂは、例えば、シャッターボタン４１ａの近傍に設けられ、ワイド側又はテレ側にズームを変更する。
カーソルボタン４１ｃは、例えば、撮像装置１００の背面側に設けられ、各種指示情報の選択を行う。
【００５１】
入力回路４２は、例えば、各種操作ボタンから出力され入力された操作信号から出力され入力された位置信号をＣＰＵ７１に入力する。
【００５２】
また、操作部４は、編集指示手段として、表示部３に外部画像の所定位置に撮像画像Ｇ５が挿入されて表示されている状態で、ユーザによる操作入力部４１の所定操作に基づいて撮像画像Ｇ５の編集を指示する。具体的には、操作部４は、撮像画像Ｇ５に係る撮像画像データの変更や撮像画像Ｇ５の表示位置の変更を指示する。
【００５３】
記録媒体５は、撮像された画像に係る撮像画像データを記録するものである。また、記録媒体５は、例えば、カード型の不揮発性メモリ（フラッシュメモリ）やハードディスク等により構成されている。
また、記録媒体５は、ＵＳＢ端子６を介して受信した外部画像データｄ３を記録する。
【００５４】
制御部７は、撮像装置１００の各部を制御するものであり、例えば、ＣＰＵ７１と、プログラムメモリ７２と、データメモリ７３と等を備えている。
【００５５】
ＣＰＵ７１は、プログラムメモリ７２に記憶された撮像装置１００用の各種処理プログラムに従って各種の制御動作を行うものである。
【００５６】
データメモリ７３は、画像データ記憶用のメモリであり、例えば、フラッシュメモリ等により構成されている。
【００５７】
プログラムメモリ７２は、ＣＰＵ７１の動作に必要な各種プログラムやデータを記憶するものであり、具体的には、例えば、画像合成プログラム７２ａ、解像度決定プログラム７２ｂ、表示状態変更プログラム７２ｃ等を記憶している。
【００５８】
画像合成プログラム７２ａは、撮像部１により取得された撮像画像データに係る撮像画像と、ＵＳＢ端子６を介して取得した外部画像データｄ３に係る外部画像を合成する処理に係る機能をＣＰＵ７１に実現させるためのプログラムである。
ここで、撮像画像データは、撮像部１によってリアルタイムに撮像される画像に係る画像データであっても良いし、撮像部１による撮像後に記録媒体５に記録された画像データであっても良い。
なお、撮像部１によってリアルタイムに撮像される画像に係る撮像画像データを適用する場合には、ユーザが自ら視認しながら適した撮像画像Ｇ５を選択決定することができるという格別の効果を得ることができる。
【００５９】
解像度決定プログラム７２ｂは、ＣＰＵ７１を解像度決定手段として機能させるものである。即ち、解像度決定プログラム７２ｂは、ＵＳＢ端子６を介して取得された文書データの印刷サイズに係る寸法情報に基づいて、この文書データに挿入される撮像画像の解像度を決定する解像度決定処理に係る機能をＣＰＵ７１に実現させるためのプログラムである。
具体的には、ＣＰＵ７１による解像度決定プログラム７２ｂの実行に基づいて、印刷サイズ（例えば、Ａ３やＡ４等）の寸法情報及び表示部３の画像表示部３における画像挿入スペースＳの面積占有率から、挿入画像Ｇ５の解像度を自動的に決定する。例えば、印刷サイズがＡ３（縦２９７ｍｍ、横４２０ｍｍ）で画像挿入スペースＳの面積占有率が２０％である場合には、印刷された文書データ内の挿入画像Ｇ５部分のサイズは、例えば、縦１３２ｍｍ、横１８７ｍｍ程度となり、撮影画像をこのサイズで印刷した場合に粒子感が目立たない解像度は、１．２Ｍピクセル（１２８０×９６０）程度となる。この解像度を決定する処理は、その都度計算により求めるようにしてもよいし、予め、様々な印刷サイズと面積占有率との組み合わせに対応させて解像度の情報をテーブルに記憶しておき、このテーブルを参照して求めるようにしてもよい。
【００６０】
表示状態変更プログラム７２ｃは、ＣＰＵ７１を表示状態変更手段として機能させるものである。即ち、表示状態変更プログラム７２ｃは、ユーザによる操作部４の所定操作に基づく編集指示に応じて表示部３に表示される撮像画像の表示状態を変更する表示状態変更処理に係る機能をＣＰＵ７１に実現させるためのプログラムである。
具体的には、ＣＰＵ７１は、図１２（ａ）に示すように、ユーザによる操作入力部４１の所定操作（例えば、カーソルボタンの下ボタンの押圧操作等）に基づいて、画像挿入スペースＳを挿入画像Ｇ５とともに上下左右に移動させる。
また、ＣＰＵ７１は、図１２（ｂ）に示すように、ユーザによる操作入力部４１の所定操作（例えば、ズームボタンの押圧操作等）に基づいて、画像挿入スペースＳを拡大させたり縮小させる。
また、ＣＰＵ７１は、図１２（ｃ）に示すように、ユーザによる操作入力部４１の所定操作（例えば、ズームボタンの押圧操作等）に基づいて、画像挿入スペースＳ内の挿入画像Ｇ５自体を拡大させたり縮小させる。
また、ＣＰＵ７１は、図１２（ｄ）に示すように、ユーザによる操作入力部４１の所定操作（例えば、カーソルボタンの押圧操作等）に基づいて、画像挿入スペースＳ内の挿入画像Ｇ５の色調等の画質を変更させる。
【００６１】
なお、表示状態変更処理は、上記例示したものに限られるものではなく、例えば、画像挿入スペースＳや挿入画像Ｇ５の回転等を行うようにしても良い。
【００６２】
次に、編集処理について図１３〜図１５を参照して詳細に説明する。
ここで、図１３〜図１５は、編集システム３００による編集処理に係る動作の一例を示すフローチャートであり、このうち、図１３は、コンピュータ２００により実行され、編集処理を構成する編集対象準備処理を示すフローチャートであり、図１４は、撮像装置１００により実行され、編集処理を構成する画像編集処理を示すフローチャートであり、図１５は、コンピュータ２００により実行され、編集処理を構成する書類編集処理を示すフローチャートである。
【００６３】
先ず、図１３を参照して編集対象準備処理について詳細に説明する。
図１３に示すように、コンピュータ２００のＣＰＵ２０１は、ユーザによる操作部４の所定操作に基づいて任意のアプリケーションを起動して、当該アプリケーションに応じた形式の文書データｄ１（例えば、「宇和島城」に係る書類Ｇ１の文書データｄ１等）を作成・編集する（ステップＳ１）。
【００６４】
そして、文書データｄ１の携帯機器による編集作業の継続が指示されると（ステップＳ２；ＹＥＳ）、ＣＰＵ２０１は、撮像装置１００の画面サイズ情報に基づいて文書データをイメージ変換する際の解像度を決定し、この決定内容に従って文書データｄ１（図４参照）をレンダリングして、文書イメージに変換する（ステップＳ３）。このとき、撮像装置１００が画像データの部分拡大表示機能を持たないような場合には、撮像装置１００の画面サイズ（画面の解像度）と同じ解像度を文書イメージ（外部画像データ）の解像度として決定してもよいし、撮像装置１００が画像データの部分拡大表示機能を持つような場合には、撮像装置１００での拡大画像のスクロール操作が煩雑にならない程度の解像度、例えば、撮像装置１００の画面サイズ（画面の解像度）の４倍程度の解像度を文書イメージの解像度として決定してもよい。
そして、ＣＰＵ２０１は、通信制御部２０６を制御して、上記変換によって得られた文書イメージであり、上記決定された解像度の文書イメージを外部画像データｄ３（図７参照）として、ＵＳＢ端子及びＵＳＢケーブルを介して接続された撮像装置１００に送信する。携帯機器による文書データの継続編集が指示されたことに応じて画像データ（文書イメージ）を撮像装置へ転送する場合には、通常の画像データの転送とは異なり、送信する画像データが文書編集の対象であることを示す情報とともに送信する。また、元となる文書データに対してユーザが設定した印刷サイズに係る寸法情報を送信する文書イメージ（外部画像データ）に関連付けて同時に送信する（ステップＳ４）。この場合、印刷サイズに係る寸法情報を同時送信することで、送信する画像データが文書編集の対象であることを示す情報を送信する代用としてもよい。
【００６５】
なお、ステップＳ２にて、文書データｄ１の携帯機器による編集作業の継続が指示されない場合には（ステップＳ２；ＮＯ）、ＣＰＵ２０１は、当該編集対象準備処理を終了する。
【００６６】
次に、図１４を参照して画像編集処理について詳細に説明する。
図１４に示すように、撮像装置１００にあっては、コンピュータ２００から送信された外部画像データｄ３をＵＳＢ端子６を介して受信すると（ステップＳ１１）、この外部画像データと同時に印刷サイズに係る寸法情報が送信されてきたか否かなどの情報によって、この外部画像データが文書編集の対象であるか否かを判断し、文書編集の対象でなければ通常の画像データとして記録媒体に記録し、文書編集の対象であれば当該外部画像データｄ３を編集対象として記録媒体に記録する（ステップＳ１２）。
【００６７】
その後、ユーザによる操作部４の所定操作に基づいて外部画像データｄ３の編集開始が指示されると（ステップＳ１３；ＹＥＳ）、ＣＰＵ７１は、プログラムメモリ７２内の所定の制御プログラム（図示略）の部分を実行して、外部画像データｄ３に含まれる各オブジェクトのレイアウト情報や実データ情報等の当該外部画像データｄ３に係るデフォルトのデフォルト編集データを生成する（ステップＳ１４）。
【００６８】
その後、ＣＰＵ７１は、デフォルト編集データに従って、レンダリング（オブジェクトの配置）を行って外部画像上の指定された位置とサイズで挿入画像を合成したイメージデータを生成した後、この生成されたイメージデータを画面の解像度に合った表示データに変換して表示部３に表示させる（ステップＳ１５）。
続けて、ＣＰＵ７１は、ユーザによる操作部４の所定操作に基づいて、デフォルトで設定されている画像挿入スペースＳの位置に空オブジェクト（枠のみ）を所定のサイズで表示するようにデフォルト編集データに合成（追加）したり、当該空オブジェクトを削除する（ステップＳ１６）。
そして、ユーザによる操作部４の所定操作に基づいて撮像画像データの挿入（変更）が指示されると（ステップＳ１７；ＹＥＳ）、ＣＰＵ７１は、プログラムメモリ７２内の解像度決定プログラム７２ｂの部分を実行して、当該外部画像データｄ３に係る書類の印刷サイズと、画像挿入スペースＳの面積占有率とに基づいて、撮像画像（挿入画像）Ｇ５の解像度を決定した後（ステップＳ１８）、プログラムメモリ７２内の画像合成プログラム７２ａの部分を実行して、指示された撮像画像データに係る撮像画像Ｇ５をデフォルト編集データに合成（追加）する（ステップＳ１９）。
なお、ステップＳ１７にて、ユーザによる操作部４の所定操作に基づいて撮像画像データの削除や新たな撮像画像データの挿入が指示されると、ＣＰＵ７１は、当該指示に応じてデフォルト編集データから撮像画像データの削除や追加を行う。
【００６９】
次に、ＣＰＵ７１は、ユーザによる操作部４の所定操作に基づいて表示状態を変更する編集指示（例えば、オブジェクトの位置やサイズの変更指示、撮像パラメータの変更指示、画質変更指示等）が入力されると（ステップＳ２０；ＹＥＳ）、プログラムメモリ７２内の表示状態変更プログラム７２ｃの部分を実行して、編集指示に応じて表示部３に表示される撮像画像Ｇ５の表示状態を変更する（ステップＳ２１）。この表示状態の変更には、外部画像上に設定された画像挿入スペースＳの位置やサイズの変更の他、画像挿入スペースＳ内に挿入される撮像画像そのものの変更や、撮像画像を画像挿入スペースＳ内に表示する際のトリミング状態の変更などを含む。
なお、挿入画像Ｇ５として撮像部１によりリアルタイムで撮像されている撮像画像データに係る撮像画像Ｇ５が合成表示されている場合には、ＣＰＵ７１は、例えば、シャッターボタン４１ａの全押し操作等の画像確定指示が入力されるまで表示される挿入画像Ｇ５を更新するように表示部３を制御する。
【００７０】
そして、ＣＰＵ７１は、ユーザによる操作部４の所定操作に基づいて編集作業を終了する。
その後、編集済みの書類に係る編集画像関連データｄ４（図１１参照）のコンピュータ２００に対する転送が指示されると（ステップＳ２２；ＹＥＳ）、ＣＰＵ７１は、編集作業を終了した時点で画像挿入スペースＳ内に挿入されている撮像画像の全体を、この画像挿入スペースＳ内の表示状態に合わせて部分的にトリミングする。そして、外部画像上に設定されている画像挿入スペースＳの位置とサイズの情報および画像挿入スペースＳに挿入される撮像画像を指定する情報を含む編集画像関連データｄ４、及び撮像画像をトリミングして得られた部分的な実画像データである挿入画像Ｇ５の元データをＵＳＢ端子６及びＵＳＢケーブルを介して接続されるコンピュータ２００に転送する（ステップＳ２３）。なお、編集画像関連データｄ４には、撮像画像を指定する情報の代わりに挿入画像Ｇ５の元データを含むようにしてもよい。
なお、ステップＳ２２にて、編集画像関連データｄ４のコンピュータ２００に対する転送が指示されない場合には（ステップＳ２２；ＮＯ）、ＣＰＵ７１は、当該画像編集処理を終了する。
【００７１】
次に、図１５を参照して書類編集処理について詳細に説明する。
図１５に示すように、コンピュータ２００にあっては、撮像装置１００から転送された編集画像関連データｄ４及び挿入画像Ｇ５の元データを通信制御部２０６を介して受信すると（ステップＳ３１）、ＣＰＵ２０１は、当該編集画像関連データｄ４に応じて所定のアプリケーションを起動して、編集画像関連データｄ４で示される挿入画像の指定とその挿入位置およびサイズ及び挿入画像Ｇ５の元データに基づいて、編集前の文書データを作成したアプリケーションに固有の文書フォーマットの形態で、編集内容を反映した編集済文書データｄ２（図５参照）を自動的に作成（編集）する（ステップＳ３２）。
その後、ＣＰＵ２０１は、作成された編集済文書データｄ２をデータ記憶部２０７に記録させる（ステップＳ３３）。
【００７２】
以上のように、本実施形態の編集システム３００によれば、テキストや図形などの画像以外のオブジェクトを処理することのできるコンピュータ２００で作成された書類の文書データｄ１を画像以外のオブジェクトを扱うことのできない撮像装置１００に転送して、この転送された文書データと撮像装置１００側で撮影して得られる撮影画像Ｇ５とを、撮像装置１００側で表示しながら編集し、その編集結果である編集画像関連データｄ４を出力するようにしたので、外出先や移動中でも編集作業を継続することができる。具体的には、文書データｄ１に挿入される撮像画像Ｇ５に係る撮像画像データの変更や撮像画像の表示位置の変更を行うことができる。
そして、編集後の編集画像関連データｄ４をコンピュータ２００に戻すことにより、編集済書類を作成することができることとなって、書類の効率的な編集作業を支援することができる。
【００７３】
また、書類の印刷サイズに係る寸法情報に基づいて、表示部３に表示される撮像画像の表示領域を決定することができるので、サイズ過多による記録媒体５の容量の圧迫がなくなって、大容量のメモリが不要となるだけでなく、コンピュータ２００側での編集作業にて挿入画像Ｇ５のサイズ調整が不要となるという利点があり、書類の編集作業の効率をより向上させることができる。
【００７４】
なお、本発明は、上記実施形態に限定されることなく、本発明の趣旨を逸脱しない範囲において、種々の改良並びに設計の変更を行っても良い。
例えば、上記実施形態にあっては、見出しの文字列「宇和島城」（オブジェクト１）及び本文の文字列「通称：鶴島城、丸串城」等（オブジェクト２）を一の文書イメージ（オブジェクト３）として編集処理を行うようにしたが、これに限られるものではなく、オブジェクト１とオブジェクト２を別個のイメージとして編集処理を行うようにしても良い。
即ち、外部画像データｄ１０３は、図１６（ａ）に示すように、オブジェクト１の元データ＝オブジェクトイメージ１、オブジェクト１の位置＝左上、オブジェクト１のサイズ＝全体の１０％（面積比）、オブジェクト２の元データ＝オブジェクトイメージ２、オブジェクト２の位置＝左で、見出しの下、オブジェクト２のサイズ＝全体の６０％（面積比）等を含むレイアウト情報と、オブジェクトイメージ１＝（実際のイメージデータ）、オブジェクトイメージ２＝（実際のイメージデータ）等を含む実データ情報から構成されていても良い。
また、編集画像関連データｄ１０４は、例えば、図１６（ｂ）に示すように、オブジェクト１の元データ＝オブジェクトイメージ１、オブジェクト１の位置＝左上、オブジェクト１のサイズ＝全体の１０％（面積比）、オブジェクト２の元データ＝オブジェクトイメージ２、オブジェクト２の位置＝左で、見出しの下、オブジェクト２のサイズ＝全体の６０％（面積比）オブジェクト４の元データ＝挿入画像１、オブジェクト４の位置＝左から７５％、上から３０％、オブジェクト４のサイズ＝全体の２０％（面積比）、オブジェクト４の表示優先順位＝最も上等を含むレイアウト情報と、挿入画像１＝（実際のイメージデータ）等を含む実データ情報から構成されていても良い。
また、編集済文書データｄ１０２は、例えば、図１６（ｃ）に示すように、オブジェクト１の元データ＝見出しの文字列１、オブジェクト１の位置＝左上、オブジェクト１のフォント＝ゴシック体、２０ポイント、オブジェクト２の元データ＝本文の文字列２、オブジェクト２の位置＝左で、見出しの下、オブジェクト２のフォント＝明朝体、１２ポイント、オブジェクト４の元データ＝挿入画像１、オブジェクト４の位置＝左から７５％、上から３０％、オブジェクト４のサイズ＝全体の２０％（面積比）、オブジェクト４の表示優先順位＝最も上等を含むレイアウト情報と、見出しの文字列１＝“宇和島城”、本文の文字列“通称：鶴島城…”、挿入画像１＝（実際のイメージデータ）等を含む実データ情報から構成されていても良い。
上記のように、オブジェクト１とオブジェクト２を別個のイメージとして編集処理を行うことにより、編集前の文書データに含まれるオブジェクト１とオブジェクト２の配置変更をも撮像装置１００側で行うことができ、より魅力的な編集システムを提供することができる。
【００７５】
また、上記実施形態にあっては、コンピュータ２００にて、文書データｄ１の印刷サイズに応じて外部画像データｄ３に係る外部画像の解像度を決定し、撮像装置１００にて、外部画像の解像度と画像挿入スペースの占有面積率とに基づいて、撮像部１による被写体の撮像の際の解像度を調整（決定）するようにしても良い。即ち、ＣＰＵ７１が解像度決定プログラム７２ｂを実行することで、外部画像の解像度と画像挿入スペースの占有面積率とに基づいて、撮像部１によって撮像された撮像画像（挿入画像）Ｇ５の解像度を調整するようになっている。
これにより、撮像装置１００側では、画像データを拡大表示させる機能を備えている場合などでは、文書データｄ１の印刷サイズに応じた解像度で、文書データｄ１および挿入画像Ｇ５の細部の状態を確認しながら編集作業を行うことが可能となる。
【００７６】
さらに、上記実施形態にあっては、ＵＳＢ端子６を介して編集画像関連データｄ４をコンピュータ２００に送信する際に、当該編集画像関連データｄ４に係る画像の解像度を外部画像データｄ３に係る外部画像の解像度に基づいて調整（決定）するようにしても良い。即ち、撮像装置１００にて、撮像された撮像画像Ｇ５をトリミングした後にコンピュータ２００に送信するようになっており、撮像された挿入画像Ｇ５の解像度をコンピュータ２００に送信する前に変更（調整）してから送信する。具体的には、ＣＰＵ７１が送信解像度調整手段として解像度決定プログラム７２ｂを実行することで、コンピュータ２００に転送される編集画像関連データｄ４に係る撮像画像の元データの解像度を外部画像データｄ３に係る外部画像の解像度に基づいて調整するようになっている。
これにより、文書データｄ１の編集を意識せずに撮影された既に撮影済みの撮像画像を挿入画像Ｇ５として用いた場合でも、コンピュータ２００上の文書データｄ１の印刷サイズに合った必要最小限の無駄のない撮像画像を送信することができる。
【００７７】
加えて、上記実施形態にあっては、撮像装置１００とコンピュータ２００がＵＳＢケーブル等を介して接続して、情報通信を行うようにしたが、これに限られるものではなく、例えば、コンピュータ２００に着脱自在に設けられたメモリカード等の記録媒体（図示略）を用いて、編集前の文書データｄ１や編集済みの編集済文書データｄ２等の送受信を行うようにしても良い。即ち、撮像装置１００は、記録媒体が着脱自在に構成され、プログラムメモリ７２には、ＣＰＵ８１を記録媒体記録制御手段として機能させる記録制御プログラム（図示略）が記録されている。そして、ＣＰＵ８１が当該プログラムを実行することで、表示状態が変更された撮像画像Ｇ５に関連する編集画像関連データを記録媒体に記録させる。
【００７８】
また、上記実施形態にあっては、操作部４を介した表示状態の変更指示にて、撮像画像Ｇ５に係る撮像画像データの変更及び撮像画像Ｇ５の表示位置の変更の両方を指示するようにしたが、これに限られるものではなく、例えば、撮像画像Ｇ５に係る撮像画像データの変更及び撮像画像Ｇ５の表示位置の変更のうち、少なくとも何れか一方であれば良い。即ち、ユーザによる操作部４の所定操作に基づいて、撮像画像Ｇ５に係る撮像画像データの変更のみが指示されても良いし、撮像画像Ｇ５の表示位置の変更のみが指示されても良い。
【００７９】
さらに、上記実施形態では、挿入される画像の位置やサイズ調整を撮像装置１００側で決定するようにしたが、これに限られるものではなく、例えば、書類の色、当該書類を構成する文章の色やフォント、線種等から自動的に決定するようにしても良い。かかる場合には、画像挿入スペースＳの形状が略矩形状に限定されることはなくなって、当該スペースを異形とすることも可能となり、書類のレイアウトの自由度を向上させることができる。
【００８０】
また、上記実施形態では、文書データｄ１に合成される画像として、静止画像を例示して説明したが、これに限られるものではなく、例えば、動画像、音声付きの静止画像や動画像であっても良い。即ち、コンピュータ２００で処理することができる画像であれば如何なるものであっても良い。
【００８１】
加えて、上記実施形態では、表示状態変更手段、解像度決定手段としての機能を、ＣＰＵ７１によって、所定のプログラム等が実行されることにより実現される構成としたが、これに限られるものではなく、例えば、各種機能を実現するためのロジック回路等から構成しても良い。
【図面の簡単な説明】
【００８２】
【図１】本発明を適用した一実施形態の編集システムの概略構成を示すブロック図である。
【図２】図１の編集システムを構成するコンピュータの概略構成を示すブロック図である。
【図３】図２のコンピュータにより作成された書類の一例を模式的に示す図である。
【図４】図３の書類に係る文書データのデータ構成の一例を模式的に示す図である。
【図５】図１の編集システムによる編集処理後の編集済書類に係る編集データの一例を模式的に示す図である。
【図６】図５の編集済書類の一例を模式的に示す図である。
【図７】図４の文書データをイメージ化した外部画像データのデータ構成の一例を模式的に示す図である。
【図８】図１の編集システムを構成する撮像装置の概略構成を示すブロック図である。
【図９】図８の撮像装置に編集前の書類に係るレイアウト画像が表示された状態を表す背面図である。
【図１０】図８の撮像装置に編集後の合成書類が表示された状態を表す背面図である。
【図１１】図８の撮像装置により作成された編集画像関連データの一例を模式的に示す図である。
【図１２】図８の撮像装置による表示状態変更処理の一例を模式的に示す図である。
【図１３】図１の編集システムによる編集処理に係る動作の一例を示すフローチャートである。
【図１４】図１３の編集処理の続きを示す図である。
【図１５】図１４の編集処理の続きを示す図である。
【図１６】編集画像関連情報の変形例の一例を模式的に示す図である。
【符号の説明】
【００８３】
１００、４００、５００  撮像装置
１      撮像部（撮像手段）
３      表示部（表示手段）
６      ＵＳＢ端子（取得手段、送信手段、撮像装置側受信手段、撮像装置側送信手段）
７１    ＣＰＵ（表示状態変更手段、表示領域決定手段、撮像解像度調整手段、送信解像度調整手段）
２００  コンピュータ（外部機器）
２０６  通信制御部（外部機器側送信手段、外部機器側受信手段）
２０７  データ記憶部（情報記録手段）
３００  編集システム
【図１】
2008288864.tif 000003
【図２】
2008288864.tif 000004
【図３】
2008288864.tif 000005
【図４】
2008288864.tif 000006
【図５】
2008288864.tif 000007
【図７】
2008288864.tif 000008
【図８】
2008288864.tif 000009
【図９】
2008288864.tif 000010
【図１１】
2008288864.tif 000011
【図１３】
2008288864.tif 000012
【図１４】
2008288864.tif 000013
【図１５】
2008288864.tif 000014
【図１６】
2008288864.tif 000015
【図６】
2008288864.tif 000016
【図１０】
2008288864.tif 000017
【図１２】
2008288864.tif 000018